(57)【要約】  容器本体１の中に設置され、液体収容用の伸縮又は変形自在な袋２と、前記袋２に連通し、前記袋２に収容されている液体を吐出させるための吐出孔３１を有する吐出部３と、前記吐出部３と前記袋２との間に設けられ、押圧されることにより、前記吐出部から液体を吐出させるための変形復元可能なスクイズ部６と、前記スクイズ部６よりも吐出方向上流側に設けられ、前記袋２の中の液体を前記スクイズ部に一方向に流すための逆止弁５とを備える。スクイズ部６を押圧したときに吐出部３から液体を吐出させ、離したときに復元して同時に袋２から液体を吸引する。
2007111256.tif 000002
【特許請求の範囲】
【請求項１】
容器本体と、
前記容器本体の中に設置され、液体収容用の伸縮又は変形自在な袋と、
前記袋に連通し、前記袋に収容されている液体を吐出させるための吐出孔を有する吐出部と、
前記吐出部と前記袋との間に設けられ、押圧されることにより、前記吐出部から液体を吐出させるための変形復元可能なスクイズ部と、
前記スクイズ部よりも吐出方向上流側に設けられ、前記袋の中の液体を前記スクイズ部に一方向に流すための逆止弁とを備える、吐出容器。
【請求項２】
前記容器本体は、前記容器本体と前記袋とが同時に成形された二重構造になっており、前記袋は前記容器本体の内壁を剥離可能になっている請求項１記載の吐出容器。
【請求項３】
前記容器本体には、容器本体と前記袋との間に空気を流入させるための空気導入口が形成されている請求項２記載の吐出容器。
【請求項４】
前記容器本体には、前記スクイズ部を押圧変形させるための押圧部材が設けられている請求項１記載の吐出容器。
【請求項５】
前記押圧部材は、前記スクイズ部に向かってスライド可能に設置されている請求項４記載の吐出容器。
【請求項６】
前記押圧部材は、容器本体に固定された支軸の周りに回動可能に設置されたレバーを含む請求項５記載の吐出容器。
【請求項７】
前記容器本体の一部又は全部が透明である請求項１記載の吐出容器。
【請求項８】
前記逆止弁は、前記スクイズ部が押圧から解除されて復元して、前記スクイズ部の内圧が前記袋よりも負圧になるときに、前記袋の内部からスクイズ部に液体を流入させ、前記スクイズ部の内圧が前記袋よりも正圧になるときに閉鎖することによって逆流を防止する請求項１記載の吐出容器。
【請求項９】
前記逆止弁は、前記スクイズ部の圧力と前記袋の圧力の差に応じて昇降するフロートを含むものである請求項８記載の吐出容器。
【請求項１０】
前記スクイズ部は、弾力性及び復元性のある素材から成る請求項１記載の吐出容器。
【請求項１１】
前記スクイズ部は、シリコーンゴム、塩化ビニル、ポリエチレン、ポリプロピレンのいずれか又はこれらの複合素材から成る請求項１０記載の吐出容器。
【請求項１２】
前記吐出部は、吐出方向上流側から液圧を受けていない状態で吐出孔を閉鎖し、吐出方向上流側から液圧を受けると吐出孔から液体を吐出するものである請求項１記載の吐出容器。
【請求項１３】
前記吐出部は、吐出孔が形成されたカバーと、カバー内に設置され、その先端軸をカバーの吐出孔から覗かせている弁体支持部と、前記弁体支持部の先端軸を取り囲む弁体とを備え、前記弁体は、スクイズ部から液圧を受けていない状態で前記先端軸に当接して吐出孔を閉鎖し、スクイズ部側から液圧を受けると変形して前記先端軸との間に流路を形成することにより、吐出孔を開放するものである請求項１２記載の吐出容器。    
【請求項１４】
請求項１に記載の容器を点眼のために用いる点眼容器。
【発明の詳細な説明】
【技術分野】
【０００１】
本発明は、点眼薬など液体を収容して吐出口から吐出させる吐出容器に関するものである。
【背景技術】
【０００２】
従来より、点眼剤、液体洗剤、液状食品などの液体を収容する可撓性の容器本体、及び該容器本体に設けられ、容器本体に収容されている液体を吐出させるための吐出口を備えた容器が用いられている。
このような容器では、容器本体を押圧して変形させ、容器本体の内圧が大気圧より高くなるときに、吐出口より液体を吐出させ、次いで、容器本体を押圧から解除して、容器本体の内圧が大気圧より低くなるときに、その吐出口から外部気体を流入させて、その容器本体の形を押圧前の形に復元させている。【０００３】
しかし、このような容器では、通常、容器内に流入する外部気体に真菌やウィルスなどの病原微生物が存在しているため、そのような外部気体によって、液体容器に収容されている液体が汚染されるという不具合がある。
そこで、このような不具合を解消する容器として、外層の内面に剥離可能な内層を積層形成してなる二重構造容器の口部に栓体を取り付け、外層には、内層と外層との間に外気を導入するための通気孔を設けた容器が提案されている。前記栓体には、内層の内部に収容された液体を吐出するための吐出口が設けられ、該吐出口に逆止弁が設けられている（特許文献１，２参照）。【０００４】
このような構成によると、容器本体が押圧を受けて変形して、容器本体の内圧が大気圧より高くなったときに、容器本体に収容されている液体が吐出口から吐出され、次いで、容器本体が押圧から解除されて復元して、容器本体の内圧が大気圧より低くなるときには、外部気体が、容器本体内の内層と外層との間に流入される。
【特許文献１】特開２００２―８００５５号公報
【特許文献２】特開２００３―６３５７６号公報
【発明の開示】
【発明が解決しようとする課題】
【０００５】
しかし、このような二重構造容器は、ボトルをスクイズさせ内圧を十分に上げるためには、強い力で容器を押し込まなければならない。軽い力で押すだけでは、吐出口の逆止弁５が作動しないおそれがある。
また、内容液が少なくなって二重ボトルの内層と外層との間の空気体積が増すと、さらに強い力でスクイズしなければならなくなってしまう。【０００６】
本発明の目的は、弱い力でも十分に吐出部の圧力弁を作動させ、液体を吐出させることができる吐出容器及びそれを用いた点眼容器を提供することにある。
【課題を解決するための手段】
【０００７】
本発明の吐出容器は、容器本体と、前記容器本体の中に設置され、液体収容用の伸縮又は変形自在な袋と、前記袋に連通し、前記袋に収容されている液体を吐出させるための吐出孔を有する吐出部と、前記吐出部と前記袋との間に設けられ、押圧されることにより、前記吐出部から液体を吐出させるための変形復元可能なスクイズ部と、前記スクイズ部よりも吐出方向上流側に設けられ、前記袋の中の液体を前記スクイズ部に一方向に流すための逆止弁とを備えている。【０００８】
本発明にかかる吐出容器において、吐出孔からの液体の吐出を実現するには、吐出部材に連通されるスクイズ部に圧力を加えるだけでよい。かかる操作によって、逆止弁の上流側からスクイズ部に導入された内容液に液圧がかかり、スクイズ部に収容されている液体が、吐出部から吐出される。次いで、スクイズ部に圧を加えるのを止めると、スクイズ部が押圧から解除されて復元して、スクイズ部の内圧が大気圧より低くなり、前記逆止弁を通して、袋の中の液体がスクイズ部内に流れ込む。つまり、押圧したときに吐出部から液体を吐出させ、離したときに復元して同時に袋から液体を吸引するポンプ機能を持つ。【０００９】
このように袋の中の液体が多くても少なくても、スクイズ部を押圧するだけの比較的軽い力で袋の中の液体を吐出させることができる。
前記容器本体に、容器本体と前記袋との間に空気を流入させるための空気導入口が形成されていれば、空気導入口を通して前記容器本体と前記袋との間に空気を流入させることができるため、袋の中の液体を前記スクイズ部に移動させやすくなる。【００１０】
前記容器本体は、前記容器本体と前記袋とが同時に成形された二重構造になっており、前記袋は前記容器本体の内壁を剥離可能になっているものであってもよい。この二重構造であれば、容器本体と前記袋とを同時に製造することができるため、製造工程を簡略化することができる。
前記容器本体には、前記スクイズ部を押圧変形させるための押圧部材が設けられていれば、使用者は、この押圧部材を操作するだけで、液体を吐出させることができる。【００１１】
前記押圧部材は、スライド可能に設置されている部材であってもよい。使用者は、この押圧部材をスライドさせるという簡単な操作で、液体を吐出させることができる。
また、前記押圧部材は、容器本体に固定された支軸の周りに回動可能に設置されたレバーであってもよい。
前記容器本体の一部又は全部は、袋が観察できるように透明であることが好ましい。【００１２】
前記逆止弁は、前記スクイズ部が押圧から解除されて復元して、前記スクイズ部の内圧が負圧になるときに、前記袋の内部からスクイズ部に液体を流入させ、前記容器本体の内圧が正圧になるときに閉鎖することによってスクイズ部の中の液体が袋の中に戻ることを防止する機能を有するものである。この逆止弁の機能により、前記スクイズ部の中の液体を吐出部から吐出させることができる。【００１３】
前記逆止弁は、前記スクイズ部の圧力と前記袋の圧力の差に応じて昇降するフロートを含むものであってもよい。
前記スクイズ部は、柔軟で復元力のある材料で形成されていることが好ましく、例えばシリコーンゴム、塩化ビニル、ポリエチレン、ポリプロピレンのいずれか又はこれらの複合素材を用いることができる。【００１４】
前記吐出部は、吐出方向上流側から液圧を受けていない状態で吐出孔を閉鎖し、吐出方向上流側から液圧を受けると吐出孔から液体を吐出する、いわゆる圧力弁の機能を有するものであることが好ましい。この機能によって、スクイズ部が押圧から解除されて復元して、スクイズ部の内圧が大気圧より低くなったときに、前記吐出孔は直ちに塞がれることとなり、外部の空気や、吐出孔の周囲に残る液体がスクイズ部内に入ってくることを防止することができる。【００１５】
前記吐出部の具体的構成は、吐出孔が形成されたカバーと、カバー内に設置され、先端軸をカバーの吐出孔から覗かせている弁体支持部と、弁体支持部の先端軸を取り囲む弁体とを備えているものであってもよい。前記弁体は、スクイズ部から液圧を受けていない状態で前記先端軸に当接して吐出孔を閉鎖し、スクイズ部側から液圧を受けると変形して先端軸との間に流路を形成することにより、吐出孔を開放する。吐出孔が開放されることで、当該吐出孔と、吐出部の上流側（吐出部材に連結されるスクイズ部）とが連通することから、吐出孔からの液体の吐出を実現することができる。【００１６】
かかる吐出容器は、例えばスクイズボトルを用いた点眼容器に適用するのに好適である。  
以上のように本発明によれば、袋内の残液量が減っても、スクイズ部に入っている液体の容積はほぼ一定なので、一定の力で、吐出部から液体を吐出させることができる。また、ブロッキングの危惧のある通気フィルタを使用しなくてもよい。【００１７】
本発明における上述の、又はさらに他の利点、特徴及び効果は、添付図面を参照して次に述べる実施形態の説明により明らかにされる。
【図面の簡単な説明】
【００１８】
【図１】図１は本発明の実施形態に係る点眼容器を示す側断面図である。
【図２】図２は前記点眼容器の分解斜視図である。
【図３】図３（ａ）は点眼動作を説明するための断面図である。図３（ｂ）は点眼動作を説明するための断面図である。図３（ｃ）は点眼動作を説明するための断面図である。
【図４】図４は逆止弁５の形状を図示した斜視図である。
【図５】図５は本発明の他の実施形態にかかる点眼容器を示す側断面図である。
【図６】図６は本発明のさらに他の実施形態にかかる点眼容器を示す側断面図である。
【図７】図７はフロート８２とフロート押さえ８３の関係を示す分解斜視図である。
【図８】図８は液体ストップ時の逆止弁の状態を示す図である。
【図９】図９は液体流通時の逆止弁の状態を示す図である。
【図１０】図１０はスクイズ部６の側面を押圧する押圧部材の、他の形状を示す断面図である。
【図１１】図１１は他の逆止弁の形状を示す断面図である。
【符号の説明】
【００１９】
１  容器本体
１ａ  空気導入口
２  袋
３  吐出部
４  内円筒部
５，５Ａ，５Ｂ  逆止弁
６  スクイズ部
７  押圧部材
３１  吐出孔
３２  カバー
３３  先端軸
３４  弁体支持部
３５  第二のノズル
３６  円筒体
３７  弁体
４１  開口
４２  挿入部
４３  鍔部
４４  円筒体
４５  第１のノズル
５１  先端部
５２  底部
７１  溝
８２  フロート
【発明を実施するための最良の形態】
【００２０】
以下、本発明の実施の形態を、添付図面を参照しながら詳細に説明する。
図１は、本発明の実施形態にかかる点眼容器を示す側断面図である。図２は分解斜視図である。
点眼容器は、容器本体１と、容器本体１の中に設置された点眼液を収容するための袋２と、前記袋２に連通し、スクイズ部６の内圧が大気圧よりも高くなるときに開いて、スクイズ部６に入っている液体を吐出させるための吐出部３とを備えている。【００２１】
前記容器本体１は、袋２を収容するための容器である。容器の材質は、少なくとも袋の見える部分が透明の樹脂でできている。透明性が要求されるのは、袋２の内部に収容された液体の量を目で確認するためである。また容器本体１それ自体を手で押圧して変形させるものではないから、容器本体１は硬質であることが耐久性を向上させる点で好ましい。
本発明の吐出部３および容器本体１を形成する樹脂としては、例えばポリエチレン（ＰＥ）、ポリプロピレン（ＰＰ）、環状ポリオレフィン（ＣＯＰ）などが挙げられる。特にＰＥやＰＰは医薬的に安全な素材であることから、本発明の吐出容器が点眼容器のような薬液を収容するものである場合に特に好適である。【００２２】
容器本体１の上部開口部には、内円筒部４が挿入されている。この内円筒部４の底面に設けられた、容器本体１の内部を向いた開口４１に、袋２が装着される。
袋２は、目薬などの液体を収容する変形自在な材料、例えば、柔軟性のあるポリオレフィン（ＰＥ，ＰＰ等）製の単層又は多層フィルム、ポリエステル（ＰＥＴ等）製の単層又は多層フィルム、又はそれらの複合多層フィルムなどが使用される。【００２３】
なお、袋２と容器本体１の間には、容器本体１に形成された空気導入口１ａ（図２参照）から空気が自在に導入できるようになっている。
内円筒部４は、容器本体１に挿入される比較的小さな直径を有する円筒状の挿入部４２と、容器本体１に挿入したときに容器本体１の開口部の端面に接着される比較的大きな直径を有する鍔部４３とを有している。【００２４】
挿入部４２の内部底面の開口には、袋２の中の液体を吐出方向下流（図１の上向き方向Ｆ）に流すための逆止弁５が設置される。
さらに挿入部４２の内部、逆止弁５の上部には、押圧することにより袋２に収容されている液体を吐出させるための変形復元自在なチューブ状のスクイズ部６を装着するための第１のノズル４５を有する円筒体４４が、第１のノズル４５を上向けた状態で配置されている。この第１のノズル４５に前記スクイズ部６の下端の開口部が装着される。なお、この円筒体４４の底面は、逆止弁５の底部５２の上面に密着している。【００２５】
逆止弁５は、図４に示すように、可撓性の材料を円筒状に成形し、その先端部５１を中心軸Ｇと直角にカットして、細長く成形し、両端を融着している。その底部５２は円形を保持している。
逆止弁５の先端部５１は、外部が負圧になると開くが、外部が正圧になっても開くことはないように、スクイズ部の押圧に伴う液圧によって容易に変形することが求められる。そのため、硬度が低く、可撓性の高い材料が用いられる。例えば逆止弁５の材料として、熱可塑性エラストマー、天然ゴム、シリコーンゴム、イソプレンゴム、ブチルゴム、ブタジエンゴム、フッ素ゴムなどのゴム状物質などが挙げられる。【００２６】
吐出部３は、先端に上向きに開口する吐出孔３１が形成された略円柱状のカバー３２と、カバー３２内に設置されて、その先端軸３３をカバー３２の吐出孔３１から覗かせている略円柱状の弁体支持部３４と、弁体支持部３４の先端軸３３を取り囲む弁体３７と、を備えている。前記先端軸３３は中実構造である。
この吐出部３の吐出孔３１、弁体３７及び弁体支持部３４は、液体と空気の逆流を防止する、逆流防止機構付きの圧力動作弁となっている。【００２７】
弁体３７は、通常、弁体支持部３４に当接して吐出孔３１を閉鎖しているが、点眼容器を使用するときなどに、スクイズ部６の内部の圧力が大気圧より高くなれば、先端軸３３とそれを取り囲む弁体３７との間に隙間ができスクイズ部６に収容されている液体を、吐出孔３１を通して容器本体１の外部に吐出させる。
しかし、スクイズ部６の内圧が大気圧より低くなると、弁体３７は速やかに元の形状に戻り、弁体３７が弁体支持部３４の先端軸３３に密着して、吐出孔３１に形成された流路を閉鎖する。したがって液体や空気がスクイズ部６内に入ってくることを防止する。【００２８】
なお、弁体３７は、スクイズ部の押圧に伴う液圧によって容易に変形することが求められることから、逆止弁５と同様、その硬度が低く、柔軟性の高い材料が用いられる。
前記弁体支持部３４の底面は鍔部４３の上面に当接するとともに、弁体支持部３４の内部には、前記スクイズ部６の上端を装着するための第二のノズル３５を有する円筒体３６が、第二のノズル３５を下向きにした状態で取り付けられる。【００２９】
これらの第１のノズル４５及び第二のノズル３５によって、スクイズ部６の下端と上端とをそれぞれ固定している。固定方法は限定されないが、例えば、スクイズ部６の弾力で押さえつけてもよく、接着剤を用いてもよく、レーザー溶着を行ってもよい。
また、前記鍔部４３には、スクイズ部６の側面を押圧するための２つの押圧部材７を挿入するための溝７１が、中心（スクイズ部６）を向いた方向に設けられている。【００３０】
押圧部材７は例えば直方体状のものであり、前記溝７１に対してスライド可能に取り付けられている。
スクイズ部６は、押圧部材７で横方向から押圧されることにより変形して、その内部の容積が小さくなり、押圧から解除されると、復元して元の容積に戻るように、可撓性を有している。このため、スクイズ部６には、弾力性、柔軟性の高い材料が用いられる。【００３１】
例えば、スクイズ部６を形成するのに用いられる弾性体には、例えば、シリコーンゴム、塩化ビニル、ポリエチレン、ポリプロピレンのいずれか又はこれらの複合素材からを用いることができる。
以下、図３（ａ）〜図３（ｃ）を用いて点眼時の動作説明をする。
押圧部材７を操作しない状態では、図３（ａ）に示すように、押圧部材７はスクイズ部６の弾力によって外方向に移動しており、スクイズ部６の変形はない。スクイズ部６の内部と袋２の液圧は等しく、逆止弁５は閉じている。【００３２】
押圧部材７を押圧操作すると、図３（ｂ）に示すように、スクイズ部６は、押圧部材７により両側から押さえられてスクイズ部６内の体積が小さくなる。このため、スクイズ部６内の圧力が上昇し、スクイズ部６内の液体は、吐出部３から吐出される。このとき、逆止弁５が閉じられるために、スクイズ部６内の液体は、袋２に戻ることはできない。
押圧部材７の押圧を解除すると、図３（ｃ）に示すように、スクイズ部６が復元しスクイズ部６内が負圧になる。このとき、袋２の中の液体が逆止弁５を通過してスクイズ部６内に入ってくる。吐出部３の逆流防止機構のために、外部の空気や液体が吐出孔３１を通してスクイズ部６内に入ることはない。【００３３】
押圧部材７を再び押圧操作すると、スクイズ部６が両側から抑えられて、スクイズ部６内の液体が吐出部３から吐出され、押圧部材７の押圧を再び解除すると、袋２の中の液体が逆止弁５を通過してスクイズ部６内に満たされる。以上のことを繰り返す。
この点眼容器を使用し続けるに従って、初め袋２の内部に満たされていた液体は、徐々に減っていくが、この減少とともに袋２が縮んでいく。容器本体１を透明な樹脂で形成しているので、使用者は、袋２の状態を常に監視することができる。【００３４】
以上の構造の点眼容器によって、袋２の中の液体が多くても少なくても、スクイズ部を押圧するだけの比較的軽い力で袋の中の液体を吐出させることができる。
なお、本発明に係る吐出部３は、通液フィルタとして用いることができる。通液フィルタは、一定以上の液圧を付加することによって液体の通過が許容されるフィルタであり、かかるフィルタを設けることによって、細菌、埃などの容器内への侵入（逆流）を防止できる。【００３５】
次に、本発明の他の実施形態を説明する。
図５は、この実施形態にかかる点眼容器を示す側断面図である。
この点眼容器と、図１に示した点眼容器との違いを説明する。この点眼容器においては、容器本体１と、容器本体１の内壁に設置された袋２とが同時に成型されている。つまり、容器本体１と袋２とで二重容器を形成している。しかし容器本体１と袋２とは接着されているものではなく、袋２は容器本体１の内壁から剥離可能になっている。そして、容器本体１の側面所定位置には、袋２を破らない状態で容器本体１のみに空気導入口１ａが形成されている。【００３６】
液体の滴下が進むにつれて、袋２は、矢印Ｉに示すように、空気導入口１ａの近くの容器本体１の内壁から剥離が拡大して、内側に折りたたまれるようになる。なお、空気導入口１ａの形成位置は、容器本体１の側面に限らず任意の位置でよい。例えば、底面に形成してもよい。
容器本体１の材質は、例えばポリエチレン（ＰＥ）、ポリプロピレン（ＰＰ）、環状ポリオレフィン（ＣＯＰ）、ポリエステル（ＰＥＴ）などが挙げられる。袋２は、柔軟性のあるポリオレフィン（ＰＥ，ＰＰ等）製の単層又は多層フィルム、ポリエステル（ＰＥＴ等）製の単層又は多層フィルム、又はそれらの複合多層フィルムなどが使用される。【００３７】
図６は、さらに他の実施形態にかかる点眼容器を示す側断面図である。この点眼容器は、図５に示した点眼容器に比べて、容器本体１の形状が異なっているのみである。図５に示した点眼容器では容器本体１は円筒形状であったが、図６に示す点眼容器では容器本体１は円錐形状である。容器本体１が円錐形状であるほうが、袋２の剥離が容易に行われると考えられる。【００３８】
これらの図５、図６の点眼容器は、逆止弁の形状・構造が、前記図１の逆止弁５の構造と異なっている。
すなわち、この実施形態の逆止弁５Ａは、チューブ状のスクイズ部６を装着するための第１のノズル４５を有する円筒体４４の途中でその内径がステップ状に狭くなっていて、ここに弁座８１が形成されている。【００３９】
弁座８１には、フロート８２が載せられている。さらにフロート８２の上から、フロート押さえ８３がかぶせられる。フロート８２の材質として、好ましくは液体より比重の小さい合成樹脂を用いることができる。
図７は、フロート８２とフロート押さえ８３の関係を示す分解斜視図である。フロート８２は回転対称形であり、円柱体８２１と、円柱体８２１の中央に形成された円柱体８２１の直径よりも大きな直径の円板８２０とからなる。円板８２０の外径は、第１のノズル４５の内径よりも小さくなっている。フロート押さえ８３は円柱体状であり、その中には前記円柱体８２１を挿入するための筒状の孔８３１が形成されている。孔８３１の内径と弁座８１の内径は、円柱体８２１の外径よりも大きくなっている。円柱体８３０の上端には、フロート押さえ８３を円筒体４４の第１のノズル４５上に係止させるための鍔部８３２が形成されている。さらに円柱体８３０の底面には、袋２に入った液体をスクイズ部６に供給するための液体の連絡通路８３３が十字の溝状に形成されている。【００４０】
この逆止弁５Ａの動作を、図８、図９を参照しながら説明する。図８は液体ストップ時のフロート８２の状態を示し、図９は液体流通時のフロート８２の状態を示す。
まず、スクイズ部６の側面を押圧することによりスクイズ部６の内部が袋２の内部よりも正圧になっているとき、フロート８２が下降する（図８）。この状態では、フロート８２の円板８２０の底面は、円筒体４４の弁座８１に密着して、液体は、スクイズ部６と袋２の間を通過できない。【００４１】
スクイズ部６の側面の押圧を解除してスクイズ部６の内部が袋２の内部よりも負圧になれば、フロート８２は上昇する（図９）。このとき、円板８２０の上面と円柱体８３０の底面とは接するが、前記連絡通路８３３が設けられているので、袋２の液体は、第１のノズル４５の側壁、連絡通路８３３、孔８３１を通って、スクイズ部６の内部に流入する。
このように、スクイズ部６のスクイズ操作でフロート８２が上下に動くことにより、逆止弁５Ａの動作を実現することができ、スクイズ部を押圧するだけの比較的軽い力で袋の中の液体を、吐出部３から吐出させることができる。【００４２】
以上で、本発明の実施の形態を説明したが、本発明の実施は、前記の形態に限定されるものではなく、本発明の範囲内で種々の変更を施すことが可能である。
例えばスクイズ部６の側面を押圧するための押圧部材は、図１〜図２に示したような一方向にスライド可能なものに限らない。例えば支軸の周りに回動可能なレバーであってもよい。【００４３】
図１０は、スライド式の押圧部材７に代えて、容器本体１の所定部位に支軸７３を固定して設け、この支軸７３に、押圧レバー７２の端部を回動可能に取り付けた点眼容器を示す断面図である。ただしこの図では、カバー３２、袋２などの図示は省略している。矢印Ｈで図示したように押圧レバー７２を押し込むことで、押圧レバー７２の他端をスクイズ部６に押しあて変形させることができる。【００４４】
また、逆止弁５の形状・構造も前記に限定されるものではない。例えば、図１１に示すように、円筒状の挿入部４２の開口４１の周囲に円筒状のリブ４６を上向きに立設して、そのリブ４６に逆止弁５Ｂを装着してもよい。このような逆止弁５Ｂを取り付けるには、まず、細長い形状の可撓性のフィルムを２枚用意し、両サイド部分５３を互いに熱密着させ、その各フィルムの下側を、リブ４６に巻き付くように密着して配置し熱溶着させることにより、取り付けることができる。このようにしてフィルムに弁内連通路５４を形成することができる。前記フィルムとして、ポリオレフィン（ＰＥ，ＰＰ等）、ポリエステル（ＰＥＴ等）又はそれらの多層フィルムを用いることができる。液体が図１１の袋２から上方向Ｆに流れるときは、弁内連通路５４が開いて液体の流れは阻止されないが、液体が上側から弁内連通路５４に入ってくるときは、各フィルムが撓んで密着し、液体の侵入を阻止することができる。【００４５】
なお本発明の吐出容器は、点眼容器の他、点鼻、点耳、うがい薬、外用薬などの各種薬液容器や、化粧品容器、消毒液容器、液体洗剤容器などにも使用することができる。
【図１】
2007111256.tif 000003
【図２】
2007111256.tif 000004
【図３】
2007111256.tif 000005
【図４】
2007111256.tif 000006
【図５】
2007111256.tif 000007
【図６】
2007111256.tif 000008
【図７】
2007111256.tif 000009
【図８】
2007111256.tif 000010
【図９】
2007111256.tif 000011
【図１０】
2007111256.tif 000012
【図１１】
2007111256.tif 000013
【国際調査報告】
2007111256.tif 000014
2007111256.tif 000015
2007111256.tif 000016
2007111256.tif 000017